(57)【要約】【課題】  便器の上方縁部と一致した、同一形状になる便座本体とクッション用パッドとから構成されたパッド入り便座構造を提供する。【解決手段】  弾性繊維１２２外側表面に透明で防水加工された膠質膜が被覆され、その内側芯部にシリコンのようなゲル状の柔軟なコロイド層１２４を包み込むようにして、射出成形により底部膠質層１２１と結合させたクッション用パッド１０を、便座本体１１の凹部溝１３に設置し、便座本体１１をその連結部１１１を介して便器Ａに取り付け、パッド入り便座１１とし、クッション用パッド１０内部に収容された柔軟なコロイド層１２４を介して使用者の体重を和らげて支えるようにすることで、快適な座り心地の便座となる構成とした。【選択図】  図２
0003109508.tif 000002
【実用新案登録請求の範囲】
【請求項１】
便器の上方開口縁部上面に旋回可能に載置され、該開口縁部と同一形状に形成されたクッション用パッドを備えた便座本体で構成されたパッド入り便座構造であって、
前記便座本体には、便器の開口縁部に対し旋回可能に枢着するための便座本体後方に延出する連結部と、便座本体の内側縁部及び外側縁部を上方に折り曲げた係止用フランジを突設させて該便座本体の上面部に凹部溝を形成してなり、
前記クッション用パッドは、弾性繊維の外側表面に防水加工のための透明な膠質膜が被覆された強力な結合層を形成した外表面を有し、かつ内側芯部にシリコンのような柔軟なコロイド層を包み込み、更に、前記パッドの底部には底部膠質層を一体射出成形により、便座本体の前記凹部溝と互いに一致する同一形状に密封形成してなり、前記一体射出成形時にクッション用パッドの柔軟な膠質層が弾性繊維の微細孔に浸潤して、前記微細孔を閉ざすように張り付くと同時に、底部膠質層と一体に結合され、一体射出成形クッション用パッドに更なる弾性及び強度をもたらすと共に、反浸潤性並びに高耐久性をもたらすようにしたことを特徴とするパッド入り便座構造。
【請求項２】
前記弾性繊維には、透明の膠質膜を透して見える様々な花柄などの図形がプリントされていて、これにより、クッション用パッドをもっと美しく変化に富ませ、日常生活の質及び趣味を向上するようにさせるようにしたことを特徴とする請求項１記載のパッド入り便座構造。
【請求項３】
前記便座本体の突出した係止用フランジによって限定された凹部溝には、更に、複数個の貫通孔を配設したことを特徴とする請求項１記載のパッド入り便座構造。
【考案の詳細な説明】
【技術分野】
【０００１】
本考案は、トイレの便座に関し、特に、便座本体とクッション用パッドとを備えた便座構造に関するものである。
【背景技術】
【０００２】
従来、便座は、プラスチックとか木材のような硬質の材料でできているのが一般的である。このような従来の硬い便座は、実際の使用において、通常の人々には何ら特別の問題はないのであるが、特に、病気で寝たきりで痩せ細ってしまったような患者にとっては、体力の低下により便座に座っている時間が長くなってしまうので、誠に心地の良くないものである。
また、従来のような硬質材料製の便座に長時間座っていると、血管や神経に血止点や圧迫点が起きがちで、足がしびれて麻痺し易くなり、その結果、このような寝たきりの患者にとって、体を動かすことが更に大変な問題となる。
【０００３】
一方、現在提供されている柔軟発泡材料製の従来製の便座にも以下のような問題点がある。
第１に、従来形の発泡材料製の便座は、その材料が痩せた患者にとっては充分に柔らかくはなく、従って、良好で快適な座り心地をもたらすことができない。
第２に、このような発泡材料は多孔性であるために、どうしても、製品に染みや汚れがつき易く、不潔になりがちである。
第３に、便器を水洗する時に、多孔性発泡材料は湿気を吸収しがちであるため、便座を乾燥状態に保持しておくのが難しくなる。
【考案の開示】
【考案が解決しようとする課題】
【０００４】
このため、本願考案は、便器の上方開口縁部と一致した同一形状の便座本体とクッション用パッドとから構成された便座を含んで成り、前記クッション用パッドには、透明で防水加工された膠質膜がその外側表面に被覆された弾性織物と、底部膠質層とが備えられており、その内側芯部にシリコンのようなゲル状の柔軟な膠質層を包み込むように構成し、ゲル状の柔軟なコロイド層を介して使用者の体重を和らげて支えるようにすることで、快適な座り心地を提供することのできるパッド入り便座構造を提供することをその主要な目的とする。
【０００５】
本願考案の第２の目的は、クッション用パッドが便座本体の凹部溝に取り外し自在に挿入され据え付けられるようにしてあり、清掃作業の目的に対し便座から素早く簡単に取外したり再取付けできるようにしたパッド入り便座構造を提供することである。
【０００６】
本願考案の第３の目的は、弾性織物は、様々な花柄模様のプリントが施されて、その表面に被覆された透明な膠質膜を透して見えるようにしたので、使用者がいっそう座り心地よくなると共に、更なる柔軟性をもたらすばかりでなく、これにより防水加工効果をももたらし、そして、定型化したトイレを打ち破る変化をもたらし、クッション用パッドをもっと美しく変化に富ませ、日常生活の質及び趣味を向上するようにしたパッド入り便座構造を提供することである。
【０００７】
本願考案の第４の目的は、弾性繊維の外側表面に被覆された膠質膜を介して、弾性繊維及び底部膠質層と、その中に包み込まれた柔軟なコロイド層とが相互に結合するために、便座の耐久性及び強度が一段と高まると共に、射出成形時に、ゲル状の柔軟なコロイド層が弾性繊維の微細孔へ浸潤して、孔を塞ぐように張り付くので、これにより、実際の使用において繰り返し加えられる摩擦や圧力により内部の柔軟なコロイド層が底部膠質層および膠質膜の接合部からはみ出たりするのを確実に防止することができ、最良の使用状態並びに長期寿命を達成できるようにしたパッド入り便座構造を提供することである。
【課題を解決するための手段】
【０００８】
本考案の請求項１に係るパッド入り便座構造は、便器の上方開口縁部上面に旋回可能に載置され、該開口縁部と同一形状に形成されたクッション用パッドを備えた便座本体で構成されたパッド入り便座構造であって、前記便座本体には、便器の開口縁部に対し旋回可能に枢着するための便座本体後方に延出する連結部と、便座本体の内側縁部及び外側縁部を上方に折り曲げた係止用フランジを突設させて該便座本体の上面部に凹部溝を形成してなり、前記クッション用パッドは、弾性繊維の外側表面に防水加工のための透明な膠質膜が被覆された強力な結合層を形成した外表面を有し、かつ内側芯部にシリコンのような柔軟なコロイド層を包み込み、更に、前記パッドの底部には底部膠質層を一体射出成形により、便座本体の前記凹部溝と互いに一致する同一形状に密封形成してなり、前記一体射出成形時にクッション用パッドの柔軟な膠質層が弾性繊維の微細孔に浸潤して、前記微細孔を閉ざすように張り付くと同時に、底部膠質層と一体に結合され、一体射出成形クッション用パッドに更なる弾性及び強度をもたらすと共に、反浸潤性並びに高耐久性をもたらすようにしたことを特徴とする。
【０００９】
請求項２の考案は、請求項１記載のパッド入り便座構造において、前記弾性繊維には、透明の膠質膜を透して見える様々な花柄模様などの図形がプリントされていて、これにより、クッション用パッドをもっと美しく変化に富ませ、日常生活の質及び趣味を向上するようにさせるようにしたことを特徴とする。
【００１０】
請求項３の考案は、請求項１記載のパッド入り便座構造において、前記便座本体の突出した係止用フランジによって限定された凹部溝には、更に、複数個の貫通孔を配設したことを特徴とする。
【考案の効果】
【００１１】
本考案のパッド入り便座のクッション用パッドは、弾性繊維が配置され、その外側表面に防水加工された透明な膠質膜が被覆され、内側芯部にシリコン状の柔軟なコロイド層を包み込むようにして底部膠質層と結合してあるので、このゲル状の柔軟なコロイド層を介して、快適な座り心地に必要な、良好で適切な柔軟性をもたらし、使用者の体重を和らげて支えることができるようになる。
また、本考案のクッション用パッドは便座本体の凹部溝へ取り外し可能に据え付けられ、清掃作業の目的に対し素早く簡単に取り外せるようにしてあるので、使い勝手がよく、便座を常に衛生的な状態に保つのを可能にする。
【考案を実施するための最良の形態】
【００１２】
以下に、図１〜６を参照しながら本考案の好適な実施の形態を詳細に説明する。
【実施例１】
【００１３】
図１は本考案のパッド入り便座構造の第１実施例を示す分解斜視図、図２は図１の便座構造の組立て完成した状態の斜視図、図３は図２の便座構造の縦断面図、図４は図２の便座構造の凹部溝に更に貫通孔を設けた場合の縦断面図、図５は便座に腰掛けた時に掛かる下方押付け力によって変形したクッション用パッドを示す断面概略図である。
【００１４】
本考案のパッド入り便座構造は、便座本体１１と底部膠質層と組み合わされたクッション用パッド１２とから構成された便座１０からなる。
前記便座１０は洋式便器Ａの上方開口縁部を覆う蓋部Ｂの内方に配設されるもので、便器Ａの開口縁部上に載置する中央に開口を有する枠体形状の便座本体１１の後部側連結部１１１が便器Ａの後部取付部に旋回可能に枢着されている。
【００１５】
前記便座本体１１は、便器Ａの上方開口縁部と一致した同一形状に形成されている。そして、便座本体１１は、該便座本体１１を便器Ａの上方開口に対し旋回可能に取り付けるための、後方側に延出する一対の連結部１１１と、内側縁部と外側縁部とにそれぞれ上方に折り曲げ突出した係止用フランジ１１２が形成され、両フランジ１１２の間には凹部溝１１３が形成されている。
【００１６】
また、便座本体１１の凹部溝１１３には、第１実施例の変形例として図４に示すように複数個の貫通孔１１４を配置した形状とすることもでき、この貫通孔を利用して凹部溝１１３への後述のクッション用パッド１２の脱着を容易に出来る。
【００１７】
クッション用パッド１２は、前記便座本体１１の凹部溝１１３に装着される大きさの相似形に形成されたもので、外側表面に防水加工のための透明の膠質膜１２３が被覆され強力な結合層を形成した弾性繊維１２２からなり、その内側芯部にシリコンのような柔軟なコロイド層１２４を包み込んでいる。
【００１８】
更に、前記パッド１２の底部には底部膠質層１２１が一体射出成形され、射出成形時にクッション用パッドの柔軟なコロイド層１２４が弾性繊維１２２の微細孔に浸潤して、弾性繊維１２２の微細孔を閉ざすように張り付くと同時に、底部膠質層１２１と一体に結合されるようになっている。    
従って、柔軟なコロイド層１２４は、弾性繊維１２２と底部膠質層１２１とにより確実に包み込まれ、底部膠質層１２１と隣接状態で密封されるようになるので、一体射出成形クッション用パッド１２に更なる弾性及び強度をもたらすばかりでなく、反浸潤性並びに高耐久性をももたらすこととなる。
【００１９】
このように構成されたクッション用パッド１２は、便座本体１１の凹部溝１１３に収容装着される。クッション用パッド１２は、便座本体１１の凹部溝１１３とぴたりと合致するように、便座本体１１と同一形状である。
【００２０】
実際の使用にあっては、クッション用パッドに腰掛けると、膠質膜１２３及び弾性繊維１２２によって内側芯部に包み込まれた柔軟なコロイド層１２４が、図５に示すように、着座による下方に掛る力と、並びに、包み込み層、底部膠質層１２１、便座本体１１が発生する相互作用によって、押圧力に対する反発力を受ける。従って、クッション用パッド１２は誠に良好で適切な柔軟性をもたらすことができるので、使用者はパッド入り便座に心地よく座っていることができるようになる。
【００２１】
更にまた、底部膠質層１２１は、便座に着座した使用者の体重によって変形することがないように、全体として、クッション用パッドの基本形状を保持するような適切な厚みをもって作られていると共に、凹部溝１１３の両側を限定している突出した係止用フランジ１１２が底部膠質層１２１を効果的に取り囲むようになるため、底部膠質層１２１を凹部溝１１３の中に正確に位置決めすることができ、これにより、便座に使用者が着座して圧力が掛っても、クッション用パッド１２は、便座本体１１の凹部溝１１３の中で、そこからずれるといった危険もなく、適所に安定して保持することができる。
【実施例２】
【００２２】
図６は、本考案のパッド入り便座の第２実施例を示す分解斜視図である。
この第２実施例の弾性繊維１２２にはその表面に様々な花柄などの模様・図形がプリントされて、透明な膠質膜１２３を透して明瞭に見えるようにしてあるので、これにより、図６に示すように、便座１０の外観意匠性を向上でき、そして従来の定型化したトイレに多様な変化をもたらせるようにし、日常生活の質と趣味を向上させることができる。
【００２３】
その上、弾性繊維１２２と底部膠質層１２１とを相互結合するために弾性繊維１２２の外側表面に被覆された膠質膜１２３を介して、便座１０は耐久性及び強度が一層増大され、日常で実際に使用されるときに繰り返し加わる摩擦や圧力のせいで柔軟なコロイド層１２４が底部膠質層１２１及び膠質層１２３の接合部からはみ出てしまうことのないように確実に防止することが出来る。
【００２４】
前記に開示した構造は、単に本考案の実施可能な実施例を具体的に詳細に説明したものであり、本考案の実施例に示す構成に限らず、本考案の実用新案登録請求の範囲の各請求項に記載した技術的範囲を逸脱しない範囲において、種々に変更し変形できることは言うまでもない。
【図面の簡単な説明】
【００２５】
【図１】本考案のパッド入り便座構造の第１実施例を示す分解斜視図。
【図２】図１の本考案の便座構造を組立てた状態の斜視図。
【図３】図２の縦断面図。
【図４】図１の便座本体の変形例を示す縦断面図。
【図５】図５は便座に腰掛けた時に掛かる下方押付け力によって変形したクッション用パッドを示す断面概略説明図。
【図６】本考案のパッド入り便座構造の第２実施例を示す分解斜視図。
【符号の説明】
【００２６】
１０      パッド入り便座
１１      便座本体
１１１    連結部
１１２    係止用フランジ
１１３    凹部溝
１１４    貫通孔
１２      クッション用パッド
１２１    底部膠質層
１２２    弾性繊維
１２３    透明の膠質膜
１２４    柔軟なコロイド層
【図１】
0003109508.tif 000003
【図２】
0003109508.tif 000004
【図３】
0003109508.tif 000005
【図４】
0003109508.tif 000006
【図５】
0003109508.tif 000007
【図６】
0003109508.tif 000008